Podtech/llm-jp-corpus-v4-ja_patent huggingface dataset:
【手続補正書】
【提出日】令和1年12月5日(2019.12.5)
【手続補正１】
【補正対象書類名】特許請求の範囲
【補正対象項目名】全文
【補正方法】変更
【補正の内容】
【特許請求の範囲】
【請求項１】
始動口への入球に起因して抽出された乱数値を保留記憶として記憶する保留記憶手段と、
前記乱数値に基づいて大当りか否かの当否判定を行う当否判定手段と、
前記当否判定手段による当否判定が行われる前に前記乱数値を確認する先読み判定手段と、
前記当否判定手段による判定結果が大当りであれば大当り遊技を実施する大当り遊技実施手段と、
前記大当りか否かの当否判定の結果に基づいて演出表示を実施する第１演出表示手段及び第２演出表示手段と、を備えた遊技機において、
前記第１演出表示手段と前記第２演出表示手段とで互いに演出内容が異なる、少なくとも第１の演出モード及び第２の演出モードでの前記演出表示を実施可能であり、
前記第１演出表示手段と前記第２演出表示手段とで演出モードが異なる場合には、前記保留記憶手段に前記乱数値が保留記憶されると、前記第１演出表示手段及び前記第２演出表示手段それぞれに、前記第１の演出モード及び前記第２の演出モードに応じて保留記憶を示す保留図柄を表示可能であり、
前記演出モードが異なる場合で前記判定結果が所定の結果のときは、前記第１演出表示手段又は前記第２演出表示手段のいずれか一方の演出表示手段における前記第１の演出モード又は前記第２の演出モードのいずれか一方の演出モードによる演出表示が非実施とされ、
前記演出モードが異なる場合で前記先読み判定手段により所定の先読み判定がなされたときには、前記保留図柄により、前記一方の演出モードによる演出表示が非実施とされることを示唆する先読み保留図柄を表示する構成とされたことを特徴とする遊技機。
【手続補正２】
【補正対象書類名】明細書
【補正対象項目名】０００７
【補正方法】変更
【補正の内容】
【０００７】
手段１に係る発明は、
請求項１に記載の遊技機において、
前記先読み保留図柄は、当該保留記憶の大当りであるか否かの当否判定の前に、前記一方の演出モードによる演出表示が実施されている前記第１演出表示手段又は前記第２演出表示手段のいずれか一方の保留図柄にて表示されることを特徴とする。
【手続補正３】
【補正対象書類名】明細書
【補正対象項目名】０００９
【補正方法】変更
【補正の内容】
【０００９】
手段２に係る発明は、
始動口への入球に起因して抽出された乱数値を保留記憶として記憶する保留記憶手段と、
前記乱数値に基づいて大当りか否かの当否判定を行う当否判定手段と、
前記当否判定手段による当否判定が行われる前に前記乱数値を確認する先読み判定手段と、
前記当否判定手段による判定結果が大当りであれば大当り遊技を実施する大当り遊技実施手段と、
前記大当りか否かの当否判定の結果に基づいて演出表示を実施する第１演出表示手段及び第２演出表示手段と、を備えた遊技機において、
前記第１演出表示手段と前記第２演出表示手段とで互いに演出内容が異なる、少なくとも第１の演出モード及び第２の演出モードでの前記演出表示を実施可能であり、
前記第１演出表示手段と前記第２演出表示手段とで演出モードが異なる場合には、前記保留記憶手段に前記乱数値が保留記憶されると、前記第１演出表示手段及び前記第２演出表示手段それぞれに、前記第１の演出モード及び前記第２の演出モードに応じて保留記憶を示す保留図柄を表示可能であり、
前記演出モードが異なる場合で前記判定結果が所定の結果のときは、前記第１の演出モード又は前記第２の演出モードのいずれか一方の演出モードのみによる演出表示と、他方の演出モードにより前記演出表示を支援する支援演出が実施可能とされ、
前記演出モードが異なる場合で前記先読み判定手段により所定の先読み判定がなされたときには、前記保留図柄により、前記支援演出が実施されることを示唆する先読み保留図柄を表示可能に構成したことを特徴とする。
【手続補正４】
【補正対象書類名】明細書
【補正対象項目名】００１１
【補正方法】変更
【補正の内容】
【００１１】
手段３に係る発明は、
手段２に記載の遊技機において、
前記先読み保留図柄は、当該保留記憶の大当りであるか否かの当否判定の前に、前記支援演出が実施される前記第１演出表示手段又は前記第２演出表示手段のいずれか一方の保留図柄にて表示されることを特徴とする。
【手続補正５】
【補正対象書類名】明細書
【補正対象項目名】００１３
【補正方法】変更
【補正の内容】
【００１３】
手段４に係る発明は、
始動口への入球に起因して抽出された乱数値を保留記憶として記憶する保留記憶手段と、
前記乱数値に基づいて大当りか否かの当否判定を行う当否判定手段と、
前記当否判定手段による当否判定が行われる前に前記乱数値を確認する先読み判定手段と、
前記当否判定手段による判定結果が大当りであれば大当り遊技を実施する大当り遊技実施手段と、
前記大当りか否かの当否判定の結果に基づいて演出表示を実施する第１演出表示手段及び第２演出表示手段と、を備えた遊技機において、
前記第１演出表示手段と前記第２演出表示手段とで互いに演出内容が異なる、少なくとも第１の演出モード及び第２の演出モードでの前記演出表示を実施可能であり、
前記第１演出表示手段と前記第２演出表示手段とで演出モードが異なる場合には、前記第１演出表示手段及び前記第２演出表示手段にてそれぞれ、前記第１の演出モード及び前記第２の演出モードに応じて保留記憶があることを示す保留図柄を表示可能であり、
前記演出モードが異なる場合で前記判定結果が所定の結果のときは、前記第１演出表示手段と前記第２演出表示手段との両方で、前記第１の演出モード又は前記第２の演出モードのいずれか一方の演出モードのみによる演出表示が実施可能とされ、
前記演出モードが異なる場合で前記先読み判定手段により所定の先読み判定がなされた場合は、前記保留図柄にて、前記第１演出表示手段と前記第２演出表示手段とで前記一方の演出モードでの演出表示が行なわれることを示唆する先読み保留図柄を表示可能に構成されたことを特徴とする。
【手続補正６】
【補正対象書類名】明細書
【補正対象項目名】００１５
【補正方法】変更
【補正の内容】
【００１５】
手段５に係る発明は、
手段４に記載の遊技機において、
前記先読み図柄は、当該保留記憶の大当りであるか否かの当否判定の前に、他方の演出モードでの演出表示が実施されている前記第１演出表示手段又は前記第２演出表示手段に表示されることを特徴とする。
【手続補正７】
【補正対象書類名】明細書
【補正対象項目名】００１７
【補正方法】変更
【補正の内容】
【００１７】
手段６に係る発明は、
請求項１乃至手段５のいずれかに記載の遊技機において、
演出ボタンを備え、
前記演出ボタンの操作により、前記第１演出表示手段又は前記第２演出表示手段に、前記第１の演出モード又は前記第２の演出モードのどの演出表示を実施するか、又は、各演出モードの表示・非表示を選択可能としたことを特徴とする。
【手続補正書】
【提出日】令和1年11月22日(2019.11.22)
【手続補正１】
【補正対象書類名】特許請求の範囲
【補正対象項目名】全文
【補正方法】変更
【補正の内容】
【特許請求の範囲】
【請求項１】
ケーブル（２）がローラの第１の列（３）のローラ（２０．１．．．２０．６）とローラの第２の列（４）のローラ（２１．１．．．２１．７）との間を交互に搬送方向（ｘ）に通過させられ得る、ローラの第１の列（３）およびローラの第２の列（４）と、
ローラの第１および第２の列（３、４）のローラ（２０．１．．．２０．６；２１．１．．．２１．７）の間の距離（ｄ）を手動で調整するための調整装置（５）と、
少なくとも１つの矯正パラメータ（ｄ）、および特にローラの第１および第２の列（３、４）のローラ（２０．１．．．２０．６；２１．１．．．２．７）の間の距離（ｄ）を記録するための測定装置（６）と、
を備える、ケーブル（２）をまっすぐにするための矯正装置（１）であって、
少なくとも１つの矯正パラメータ（ｄ）の公称値からの、測定装置（６）によって決定される実際の値の偏差が視覚的に聴覚的にまたは触覚的に指示され得る、指示器装置（８）を備えることを特徴とする、矯正装置（１）。
【請求項２】
指示器装置（８）が、矯正パラメータ（ｄ）の公称値と比べてあまりに大きい実際の値を指示するための、および／または矯正パラメータ（ｄ）の公称値と比べてあまりに低い実際の値を指示するための少なくとも１つの誤差指示要素（２２、２３）を有することを特徴とする、請求項１に記載の矯正装置（１）。
【請求項３】
指示器装置（８）が、矯正パラメータ（ｄ）の公称値と比べてあまりに大きい、および／またはあまりに低い実際の値を指示するための少なくとも１つの光学的誤差指示要素（２２、２３）を有し、少なくとも１つの光学的誤差指示要素（２２、２３）が、好ましくはＬＥＤであるランプを備えることを特徴とする、請求項１または２に記載の矯正装置（１）。
【請求項４】
指示器装置（８）が、実際の値が公称値と一致することを指示する光学的な「正しい」指示要素（２４）を有することを特徴とする、請求項３に記載の矯正装置（１）。
【請求項５】
指示器装置（８）が、２つの誤差指示要素（２２、２３）および「正しい」指示要素（２４）を備え、「正しい」指示要素（２４）が、好ましくは誤差指示要素（２２、２３）の間に配置されることを特徴とする、請求項１から４のいずれかに記載の矯正装置（１）。
【請求項６】
誤差指示要素（２２、２３）および「正しい」指示要素（２４）が、異なる色に点灯し得るように設計されることを特徴とする、請求項５に記載の矯正装置（１）。
【請求項７】
指示器装置（８）が、矯正パラメータ値（ｄ）を数値的に示すためのデジタルディスプレイ（２４）を備えることを特徴とする、請求項１から６のいずれかに記載の矯正装置（１）。
【請求項８】
第１および第２のローラ配置（３、４）のローラ（２０．１．．．２０．６；２１．１．．．２１．７）の間の距離（ｄ）を記録するために、測定装置（６）が、電位差経路センサを備えることを特徴とする、請求項１から７のいずれかに記載の矯正装置（１）。
【請求項９】
測定装置（８）が、実際の値および／または矯正パラメータ（ｄ）の公称値からの実際の値の偏差が記録される、メモリユニット（２６）に接続され、またはされ得ることを特徴とする、請求項１から８のいずれかに記載の矯正装置（１）。
【請求項１０】
測定装置（６）が、制御装置（７）に接続され、またはされることができ、ケーブルをまっすぐにするためにケーブル（２）がローラの第１および第２の列（３、４）のローラ（２０．１．．．２０．６；２１．１．．．２１．７）の間で引っ張られる製造作業が実際の値が公称値と一致しない場合には阻止されるように、制御装置（７）がプログラムされ得ることを特徴とする、請求項１から９のいずれかに記載の矯正装置（１）。
【請求項１１】
ローラの第１および第２の列（３、４）のローラ（２０．１．．．２０．６；２１．１．．．２１．７）の間の距離（ｄ）を手動で調整するために、調整装置（５）が、回転つまみまたは調整ねじ（１９）を有することを特徴とする、請求項１から１０のいずれかに記載の矯正装置（１）。
【請求項１２】
次のステップ、すなわち、
ａ）  ローラの第１の列（３）のローラ（２０．１．．．２０．６）と、ローラの第１の列（３）と向い合せのローラの第２の列（４）のローラ（２１．１．．．２１．７）との間の中間空間に、まっすぐにされるべきケーブル（１）を差し込むステップと、
ｂ）  ローラの第１の列（３）のローラ（２０．１．．．２０．６）およびローラの第２の列（４）のローラ（２１．１．．．２１．７）をケーブル（２）に接触させるために、調整装置（５）の手動操作によって相対調整運動を行うステップと、
ｃ）  測定装置（６）によって少なくとも１つの矯正パラメータ（ｄ）の実際の値を決定するステップと、
ｄ）  測定装置（６）によって決定される実際の値を、制御装置（７）の矯正パラメータ（ｄ）の公称値と比較するステップと、
ｅ）  ステップｄ）における比較が受け入れがたい偏差となっている場合には、指示装置（８）がユーザを導くように視覚的、聴覚的、および／または触覚的故障信号を生成するステップと、
ｆ）  ステップｂ）による調整装置（５）の手動操作による相対調整運動が継続され、ステップｃ）からステップｅ）は、指示装置（８）の誤差信号が消滅するまで、かつ／または実際の値が公称値と一致することを指示する「正しい」信号を指示器装置（８）が生成するまで繰り返されるステップと、
が実行されることを特徴とする、請求項１から１３のいずれか一項に記載の矯正装置（１）を作動させる方法。
【手続補正書】
【提出日】令和2年6月12日(2020.6.12)
【手続補正１】
【補正対象書類名】特許請求の範囲
【補正対象項目名】全文
【補正方法】変更
【補正の内容】
【特許請求の範囲】
【請求項１】
抽選手段と、
リール制御手段と、
画像表示手段を備え、
遊技区間として、通常区間と有利区間とを有し、
有利区間における遊技回数が所定回数となった場合には有利区間を終了し、
有利区間が終了した場合には、記憶手段に記憶されている所定の記憶領域の情報を初期化可能とし、
設定変更に伴い、前記記憶手段に記憶されている特定の記憶領域の情報を初期化可能とし、
前記所定の記憶領域は、前記特定の記憶領域に含まれる記憶領域であり、
有利区間では、ストップスイッチの操作態様を報知可能な所定の遊技状態となる場合を有し、
通常区間では、前記所定の遊技状態となる場合を有さず、
前記所定の遊技状態が終了する際に、遊技者の遊技へののめり込みを防止するための注意喚起に関する表示を前記画像表示手段に表示可能とする
ことを特徴とする回胴式遊技機。
【手続補正２】
【補正対象書類名】明細書
【補正対象項目名】０００６
【補正方法】変更
【補正の内容】
【０００６】
本態様に係る回胴式遊技機は、
抽選手段と、
リール制御手段と、
画像表示手段を備え、
遊技区間として、通常区間と有利区間とを有し、
有利区間における遊技回数が所定回数となった場合には有利区間を終了し、
有利区間が終了した場合には、記憶手段に記憶されている所定の記憶領域の情報を初期化可能とし、
設定変更に伴い、前記記憶手段に記憶されている特定の記憶領域の情報を初期化可能とし、
前記所定の記憶領域は、前記特定の記憶領域に含まれる記憶領域であり、
有利区間では、ストップスイッチの操作態様を報知可能な所定の遊技状態となる場合を有し、
通常区間では、前記所定の遊技状態となる場合を有さず、
前記所定の遊技状態が終了する際に、遊技者の遊技へののめり込みを防止するための注意喚起に関する表示を前記画像表示手段に表示可能とする
ことを特徴とする。
＜付記＞
尚、本態様とは異なる別態様について以下に列記しておくが、これらには何ら限定されることなく実施することが可能である。
本別態様に係る回胴式遊技機は、
遊技に関連するデータを記憶する記憶領域を備えた遊技機であって、
前記記憶領域には、アドレスが割り当てられており、
前記記憶領域は、
少なくとも貸出された遊技価値数に対応する情報を記憶可能な持ち点情報記憶領域と、
退避したデータが記憶され得る領域である退避領域と、
遊技機外部に出力する外部信号の出力に関するデータが記憶され得る領域である外部信号記憶領域と
を少なくとも有しており、
前記退避領域よりも前記外部信号記憶領域の方が上位のアドレスに設定されており、
前記外部信号記憶領域よりも前記持ち点情報記憶領域の方が上位のアドレスに設定されている
ことを特徴とする。
【手続補正書】
【提出日】令和2年6月12日(2020.6.12)
【手続補正１】
【補正対象書類名】特許請求の範囲
【補正対象項目名】全文
【補正方法】変更
【補正の内容】
【特許請求の範囲】
【請求項１】
抽選手段と、
リール制御手段と、
画像表示手段を備え、
遊技区間として、通常区間と有利区間とを有し、
有利区間における遊技回数が所定回数となった場合には有利区間を終了し、
有利区間が終了した場合には、記憶手段に記憶されている所定の記憶領域の情報を初期化可能とし、
設定変更に伴い、前記記憶手段に記憶されている特定の記憶領域の情報を初期化可能とし、
前記所定の記憶領域は、前記特定の記憶領域に含まれる記憶領域であり、
有利区間では、ストップスイッチの操作態様を報知可能な所定の遊技状態となる場合を有し、
通常区間では、前記所定の遊技状態となる場合を有さず、
前記所定の遊技状態が終了する際に、遊技者の遊技へののめり込みを防止するための注意喚起に関する表示を前記画像表示手段に表示可能とし、
最小遊技時間をＴ１、遊技者の遊技へののめり込みを防止するための注意喚起に関する表示を前記画像表示手段に表示している時間をＴ２としたとき、Ｔ１＞Ｔ２となるように構成されている
ことを特徴とする回胴式遊技機。
【手続補正２】
【補正対象書類名】明細書
【補正対象項目名】０００６
【補正方法】変更
【補正の内容】
【０００６】
本態様に係る回胴式遊技機は、
抽選手段と、
リール制御手段と、
画像表示手段を備え、
遊技区間として、通常区間と有利区間とを有し、
有利区間における遊技回数が所定回数となった場合には有利区間を終了し、
有利区間が終了した場合には、記憶手段に記憶されている所定の記憶領域の情報を初期化可能とし、
設定変更に伴い、前記記憶手段に記憶されている特定の記憶領域の情報を初期化可能とし、
前記所定の記憶領域は、前記特定の記憶領域に含まれる記憶領域であり、
有利区間では、ストップスイッチの操作態様を報知可能な所定の遊技状態となる場合を有し、
通常区間では、前記所定の遊技状態となる場合を有さず、
前記所定の遊技状態が終了する際に、遊技者の遊技へののめり込みを防止するための注意喚起に関する表示を前記画像表示手段に表示可能とし、
最小遊技時間をＴ１、遊技者の遊技へののめり込みを防止するための注意喚起に関する表示を前記画像表示手段に表示している時間をＴ２としたとき、Ｔ１＞Ｔ２となるように構成されている
ことを特徴とする。
＜付記＞
尚、本態様とは異なる別態様について以下に列記しておくが、これらには何ら限定されることなく実施することが可能である。
本別態様に係る回胴式遊技機は、
所定の得点を賭け設定することによって遊技が実行可能となる遊技機であって、
外部に情報を出力し、且つ、外部からの情報を入力することが可能な接続手段と、
総得点に関する情報を表示可能な総得点表示手段と
を備え、
前記接続手段によって、得点に関する情報を外部から入力可能とする
ことを特徴とする。
【手続補正書】
【提出日】令和2年1月21日(2020.1.21)
【手続補正１】
【補正対象書類名】特許請求の範囲
【補正対象項目名】全文
【補正方法】変更
【補正の内容】
【特許請求の範囲】
【請求項１】
画像表示手段を備え、
所定の遊技状態の終了に関する表示を前記画像表示手段に表示可能とし、
所定の遊技状態の終了に関する表示を前記画像表示手段に表示している際に、注意喚起に関する情報を前記画像表示手段に表示可能とし、
遊技待機に関する表示を前記画像表示手段に表示可能とし、
遊技待機に関する表示を前記画像表示手段に表示している際に、注意喚起に関する情報を前記画像表示手段に表示可能とし、
所定の遊技状態の終了に関する表示を前記画像表示手段に表示している際の注意喚起に関する情報の表示領域の大きさは、遊技待機に関する表示を前記画像表示手段に表示している際の注意喚起に関する情報の表示領域の大きさと異なる
ことを特徴とする遊技機。
【手続補正２】
【補正対象書類名】明細書
【補正対象項目名】発明の名称
【補正方法】変更
【補正の内容】
【発明の名称】遊技機
【手続補正３】
【補正対象書類名】明細書
【補正対象項目名】０００１
【補正方法】変更
【補正の内容】
【０００１】
遊技機に関する。
【手続補正４】
【補正対象書類名】明細書
【補正対象項目名】０００６
【補正方法】変更
【補正の内容】
【０００６】
本態様に係る遊技機は、
画像表示手段を備え、
所定の遊技状態の終了に関する表示を前記画像表示手段に表示可能とし、
所定の遊技状態の終了に関する表示を前記画像表示手段に表示している際に、注意喚起に関する情報を前記画像表示手段に表示可能とし、
遊技待機に関する表示を前記画像表示手段に表示可能とし、
遊技待機に関する表示を前記画像表示手段に表示している際に、注意喚起に関する情報を前記画像表示手段に表示可能とし、
所定の遊技状態の終了に関する表示を前記画像表示手段に表示している際の注意喚起に関する情報の表示領域の大きさは、遊技待機に関する表示を前記画像表示手段に表示している際の注意喚起に関する情報の表示領域の大きさと異なる
ことを特徴とする遊技機である。
＜付記＞
尚、本態様とは異なる別態様について以下に列記しておくが、これらには何ら限定されることなく実施することが可能である。
本別態様に係る遊技機は、
所定の得点を賭け設定することによって遊技が実行可能となる遊技機であって、
外部に情報を出力し、且つ、外部からの情報を入力することが可能な接続手段と、
総得点に関する情報を表示可能な総得点表示手段と
を備え、
前記接続手段によって、得点に関する情報を外部から入力可能とする
ことを特徴とする遊技機である。
【手続補正５】
【補正対象書類名】明細書
【補正対象項目名】０００７
【補正方法】変更
【補正の内容】
【０００７】
本態様に係る遊技機によれば、遊技に対するのめり込みを防止することができる、という効果を奏する。
【手続補正書】
【提出日】令和2年7月21日(2020.7.21)
【手続補正１】
【補正対象書類名】特許請求の範囲
【補正対象項目名】全文
【補正方法】変更
【補正の内容】
【特許請求の範囲】
【請求項１】
複数のリールと、
複数のストップスイッチと、
遊技の進行を制御する主制御手段と、
演出を制御する副制御手段と
を備え、
前記主制御手段により決定され得る抽選結果として、第１抽選結果と第２抽選結果とを有し、
第１抽選結果が決定された遊技では、ストップスイッチが第１の操作態様で操作された場合に、遊技価値として「Ｘ」を付与する図柄組合せを停止表示可能であり、
第２抽選結果が決定された遊技では、ストップスイッチが第２の操作態様で操作された場合に、遊技価値として「Ｘ」を付与する図柄組合せを停止表示可能であり、
遊技区間として、通常区間と有利区間とを有し、
通常区間において第１抽選結果が決定された遊技では、ストップスイッチの操作態様として第１の操作態様を報知せず、
通常区間において第２抽選結果が決定された遊技では、ストップスイッチの操作態様として第２の操作態様を報知せず、
有利区間において第１抽選結果が決定された遊技では、ストップスイッチの操作態様として第１の操作態様を報知する場合を有し、
有利区間において第２抽選結果が決定された遊技では、ストップスイッチの操作態様として第２の操作態様を報知する場合を有し、
前記主制御手段は、通常区間において第１抽選結果が決定された遊技では、演出グループ情報生成テーブルから演出グループ情報を導出可能とし、導出した演出グループ情報を前記副制御手段に送信可能に構成されており、
前記主制御手段は、通常区間において第２抽選結果が決定された遊技では、演出グループ情報生成テーブルから演出グループ情報を導出可能とし、導出した演出グループ情報を前記副制御手段に送信可能に構成されており、
第１抽選結果が決定された遊技で導出される演出グループ情報と第２抽選結果が決定された遊技で導出される演出グループ情報は、同一の情報であり、
特別遊技状態の開始条件を満たした場合は、特別遊技状態を開始するように構成され、
有利区間における遊技の実行回数が所定回数となる遊技が実行されると、次の遊技は、通常区間であるように構成され、
有利区間における遊技の実行回数が所定回数となる遊技が特別遊技状態で実行され、その遊技で特別遊技状態の終了条件を満たさなかった場合は、次の遊技は、通常区間であり、特別遊技状態であるように構成される
ことを特徴とする回胴式遊技機。
【手続補正２】
【補正対象書類名】明細書
【補正対象項目名】０００６
【補正方法】変更
【補正の内容】
【０００６】
本態様に係る回胴式遊技機は、
複数のリールと、
複数のストップスイッチと、
遊技の進行を制御する主制御手段と、
演出を制御する副制御手段と
を備え、
前記主制御手段により決定され得る抽選結果として、第１抽選結果と第２抽選結果とを有し、
第１抽選結果が決定された遊技では、ストップスイッチが第１の操作態様で操作された場合に、遊技価値として「Ｘ」を付与する図柄組合せを停止表示可能であり、
第２抽選結果が決定された遊技では、ストップスイッチが第２の操作態様で操作された場合に、遊技価値として「Ｘ」を付与する図柄組合せを停止表示可能であり、
遊技区間として、通常区間と有利区間とを有し、
通常区間において第１抽選結果が決定された遊技では、ストップスイッチの操作態様として第１の操作態様を報知せず、
通常区間において第２抽選結果が決定された遊技では、ストップスイッチの操作態様として第２の操作態様を報知せず、
有利区間において第１抽選結果が決定された遊技では、ストップスイッチの操作態様として第１の操作態様を報知する場合を有し、
有利区間において第２抽選結果が決定された遊技では、ストップスイッチの操作態様として第２の操作態様を報知する場合を有し、
前記主制御手段は、通常区間において第１抽選結果が決定された遊技では、演出グループ情報生成テーブルから演出グループ情報を導出可能とし、導出した演出グループ情報を前記副制御手段に送信可能に構成されており、
前記主制御手段は、通常区間において第２抽選結果が決定された遊技では、演出グループ情報生成テーブルから演出グループ情報を導出可能とし、導出した演出グループ情報を前記副制御手段に送信可能に構成されており、
第１抽選結果が決定された遊技で導出される演出グループ情報と第２抽選結果が決定された遊技で導出される演出グループ情報は、同一の情報であり、
特別遊技状態の開始条件を満たした場合は、特別遊技状態を開始するように構成され、
有利区間における遊技の実行回数が所定回数となる遊技が実行されると、次の遊技は、通常区間であるように構成され、
有利区間における遊技の実行回数が所定回数となる遊技が特別遊技状態で実行され、その遊技で特別遊技状態の終了条件を満たさなかった場合は、次の遊技は、通常区間であり、特別遊技状態であるように構成される
ことを特徴とする。
＜付記＞
尚、本態様とは異なる別態様について以下に列記しておくが、これらには何ら限定されることなく実施することが可能である。
本別態様に係る回胴式遊技機は、
遊技に関連するデータを記憶する記憶領域を備えた遊技機であって、
前記記憶領域には、アドレスが割り当てられており、
前記記憶領域は、
少なくとも貸出された遊技価値数に対応する情報を記憶可能な持ち点情報記憶領域と、
退避したデータが記憶され得る領域である退避領域と、
電源断から復帰して遊技を再開する際に実行し得るチェックサム算出処理を実行するために使用するチェックサムデータ領域と
を少なくとも有しており、
前記退避領域よりも前記チェックサムデータ領域の方が上位のアドレスに設定されており、
前記チェックサムデータ領域よりも前記持ち点情報記憶領域の方が上位のアドレスに設定されている
ことを特徴とする。
【手続補正書】
【提出日】令和2年10月16日(2020.10.16)
【手続補正１】
【補正対象書類名】特許請求の範囲
【補正対象項目名】全文
【補正方法】変更
【補正の内容】
【特許請求の範囲】
【請求項１】
複数のストップスイッチと、
画像表示手段と、
抽選手段と
を備え、
遊技区間として、通常区間と有利区間とを有し、
有利区間における遊技の実行回数が所定回数となる遊技が実行されると、有利区間を終了し、
有利区間では、ストップスイッチの操作態様を報知可能な所定の遊技状態となる場合を有し、
通常区間では、前記所定の遊技状態となる場合を有さず、
前記所定の遊技状態が終了する際に、遊技者の遊技へののめり込みを防止するための注意喚起に関する表示を前記画像表示手段に表示可能であり、
前記抽選手段により決定され得る抽選結果として、特定抽選結果を有し、
前記特定抽選結果が決定され、特別図柄組合せが停止表示しなかった場合には、特別図柄組合せを停止表示可能とする当選情報を持ち越している状態となるように構成され、
有利区間における遊技の実行回数が前記所定回数となる遊技が特別図柄組合せを停止表示可能とする当選情報を持ち越している状態で実行されたときにも、有利区間が終了するよう構成される
ことを特徴とする回胴式遊技機。
【手続補正２】
【補正対象書類名】明細書
【補正対象項目名】０００５
【補正方法】変更
【補正の内容】
【０００５】
射幸性を適切に抑制可能な遊技機の提供が望まれている。
【手続補正３】
【補正対象書類名】明細書
【補正対象項目名】０００６
【補正方法】変更
【補正の内容】
【０００６】
本態様に係る回胴式遊技機は、
複数のストップスイッチと、
画像表示手段と、
抽選手段と
を備え、
遊技区間として、通常区間と有利区間とを有し、
有利区間における遊技の実行回数が所定回数となる遊技が実行されると、有利区間を終了し、
有利区間では、ストップスイッチの操作態様を報知可能な所定の遊技状態となる場合を有し、
通常区間では、前記所定の遊技状態となる場合を有さず、
前記所定の遊技状態が終了する際に、遊技者の遊技へののめり込みを防止するための注意喚起に関する表示を前記画像表示手段に表示可能であり、
前記抽選手段により決定され得る抽選結果として、特定抽選結果を有し、
前記特定抽選結果が決定され、特別図柄組合せが停止表示しなかった場合には、特別図柄組合せを停止表示可能とする当選情報を持ち越している状態となるように構成され、
有利区間における遊技の実行回数が前記所定回数となる遊技が特別図柄組合せを停止表示可能とする当選情報を持ち越している状態で実行されたときにも、有利区間が終了するよう構成される
ことを特徴とする回胴式遊技機である。
＜付記＞
尚、本態様とは異なる別態様について以下に列記しておくが、これらには何ら限定されることなく実施することが可能である。
本別態様に係る回胴式遊技機は、
遊技に関連するデータを記憶する記憶領域を備えた遊技機であって、
前記記憶領域には、アドレスが割り当てられており、
前記記憶領域は、
少なくとも貸出された遊技価値数に対応する情報を記憶可能な持ち点情報記憶領域と、
退避したデータが記憶され得る領域である退避領域と、
電源断から復帰して遊技を再開する際に使用し得るスタックポインタの情報を保存するための領域であるスタックポインタ一時保存領域と
を少なくとも有しており、
前記退避領域よりも前記スタックポインタ一時保存領域の方が上位のアドレスに設定されており、
前記スタックポインタ一時保存領域よりも前記持ち点情報記憶領域の方が上位のアドレスに設定されている
ことを特徴とする。
【手続補正４】
【補正対象書類名】明細書
【補正対象項目名】０００７
【補正方法】変更
【補正の内容】
【０００７】
本態様に係る回胴式遊技機によれば、射幸性を適切に抑制可能な遊技機を提供することができる、という効果を奏する。
【手続補正書】
【提出日】令和2年6月11日(2020.6.11)
【手続補正１】
【補正対象書類名】特許請求の範囲
【補正対象項目名】全文
【補正方法】変更
【補正の内容】
【特許請求の範囲】
【請求項１】
本体ハウジングと、該本体ハウジングに支持されたモータと、該本体ハウジングに支持され該モータの回転力によって駆動する駆動部とを有する本体部と、
該本体部と離間して位置する把持部と、
該本体部と該把持部との間に設けられるとともに該本体部と該把持部とを接続し該本体部から該把持部に伝達される振動を低減する振動低減部と、を備え、
該振動低減部は、該本体部に接続された第１振動低減機構と、該第１振動低減機構と該把持部との間に設けられた第２振動低減機構と、を有することを特徴とする動力工具。
【請求項２】
該モータの回転力を往復動に変換し該駆動部を第１方向に往復駆動させる往復動変換機構をさらに備えることを特徴とする請求項１に記載の動力工具。
【請求項３】
該振動低減部は、該第１振動低減機構を介して該本体部に接続されるとともに該第２振動低減機構に接続された中間接続部をさらに有し、
該中間接続部は、該本体部及び該把持部に対して該第１方向において相対移動可能であることを特徴とする請求項２に記載の動力工具。
【請求項４】
該把持部は、該第１方向と直交する第２方向に延び、
該振動低減部は、該第２方向において互いに離間して位置する２個の該第１振動低減機構を含むことを特徴とする請求項３に記載の動力工具。
【請求項５】
該中間接続部は、該把持部の該第２方向における一端部と該第２振動低減機構を介して接続された第１接続部と、該把持部の該第２方向における他端部と接続された第２接続部と、を有し、
該２個の該第１振動低減機構のうちの一方は、該第２方向における該第１接続部との距離が該第２方向における該第２接続部との距離よりも短い位置に設けられ、
該２個の該第１振動低減機構のうちの他方は、該第２方向における該第２接続部との距離が該第２方向における該第１接続部との距離よりも短い位置に設けられていることを特徴とする請求項４に記載の動力工具。
【請求項６】
該中間接続部には、該第１方向に延びる挿通孔が形成され、
該第１振動低減機構は、該第１方向に延び該第１方向における一端部が該本体部に接続されるとともに該第１方向における他端部が該挿通孔に挿通された挿通部と、該挿通部の外方に配置され該中間接続部と該本体部とに挟持される第１弾性体と、を有し、
該第２振動低減機構は、該中間接続部に接続された第１部材と、該把持部に接続された第２部材と、該第１部材と該第２部材との間に介在する第２弾性体と、を有することを特徴とする請求項３乃至５のいずれか１項に記載の動力工具。
【請求項７】
振動低減部は、さらに第３弾性体を有し、
該第１部材は、該第３弾性体を介して該中間接続部に接続されていることを特徴とする請求項６に記載の動力工具。
【請求項８】
該本体ハウジングは、該モータを収容するモータハウジングを有し、
該中間接続部は、該モータハウジングに該第１振動低減機構を介して接続され、該モータハウジングの該第１方向における該把持部に近い端部を覆うように構成されていることを特徴とする請求項３乃至７のいずれか１項に記載の動力工具。
【請求項９】
該第１振動低減機構のバネ定数は、該第２振動低減機構のバネ定数と異なっていることを特徴とする請求項１乃至８のいずれか１項に記載の動力工具。
【請求項１０】
該第１振動低減機構のバネ定数は、該第２振動低減機構のバネ定数よりも大きいことを特徴とする請求項９に記載の動力工具。
【請求項１１】
モータと、
該モータの回転力を伝達する動力伝達機構と、
該動力伝達機構の少なくとも一部を収容するギアハウジングと、
該ギアハウジングの少なくとも一部を覆うカバーと、
該ギアハウジングと離間して位置する把持部と、
該ギアハウジングと該把持部との間に設けられるとともに該ギアハウジングと該把持部とを接続し該ギアハウジングから該把持部に伝達される振動を低減する振動低減部と、を備え、
該振動低減部は、該ギアハウジングと該カバーとの間に設けられた第１振動低減機構と、該カバーと該把持部との間に設けられた第２振動低減機構と、を有することを特徴とする動力工具。
【手続補正２】
【補正対象書類名】明細書
【補正対象項目名】００２３
【補正方法】変更
【補正の内容】
【００２３】
また、該第１振動低減機構のバネ定数は、該第２振動低減機構のバネ定数よりも大きいことが好ましい。
上記課題を解決するため、本発明はさらに、モータと、該モータの回転力を伝達する動力伝達機構と、該動力伝達機構の少なくとも一部を収容するギアハウジングと、該ギアハウジングの少なくとも一部を覆うカバーと、該ギアハウジングと離間して位置する把持部と、該ギアハウジングと該把持部との間に設けられるとともに該ギアハウジングと該把持部とを接続し該ギアハウジングから該把持部に伝達される振動を低減する振動低減部と、を備え、該振動低減部は、該ギアハウジングと該カバーとの間に設けられた第１振動低減機構と、該カバーと該把持部との間に設けられた第２振動低減機構と、を有することを特徴とする動力工具を提供する。
【手続補正書】
【提出日】令和2年9月7日(2020.9.7)
【手続補正１】
【補正対象書類名】特許請求の範囲
【補正対象項目名】全文
【補正方法】変更
【補正の内容】
【特許請求の範囲】
【請求項１】
各々が識別可能な複数種類の識別情報を変動表示可能な可変表示部を備え、
前記可変表示部の変動表示を停止することで表示結果を導出し、該表示結果に応じて入賞が発生可能なスロットマシンにおいて、
遊技用価値の付与を伴う付与入賞が発生したときに、該付与入賞の種類に応じた数の遊技用価値を付与する遊技用価値付与手段と、
第１期間において遊技に使用された遊技用価値の総数である第１期間使用総数に対する前記第１期間において付与された遊技用価値の総数である第１期間付与総数の割合である第１期間付与率が第１範囲内となるように所定入賞の発生する確率を調整する第１調整手段と、
前記第１期間よりも長い第２期間において遊技に使用された遊技用価値の総数である第２期間使用総数に対する前記第２期間において付与された遊技用価値の総数である第２期間付与総数の割合である第２期間付与率が第２範囲内となるように所定入賞の発生する確率を調整する第２調整手段と、
を備え、
前記第１調整手段が所定入賞の発生する確率を調整するときに用いる履歴データは、該第１調整手段が用いた後も維持され、前記第２調整手段は、維持されている複数の履歴データを用いて所定入賞の発生する確率を調整する、スロットマシン。
【手続補正２】
【補正対象書類名】明細書
【補正対象項目名】０００２
【補正方法】変更
【補正の内容】
【０００２】
この種のスロットマシンとしては、予め定められた第１期間の払出率と、第１期間よりも長い第２期間における第２払出率と、に基づいて、小役の報知確率を変更することで払出率が高くなり過ぎないようにしたものが提案されている（例えば、特許文献１参照）。
【手続補正３】
【補正対象書類名】明細書
【補正対象項目名】０００３
【補正方法】変更
【補正の内容】
【０００３】
【特許文献１】特開２０１４−３０６７４号公報
【手続補正４】
【補正対象書類名】明細書
【補正対象項目名】０００４
【補正方法】変更
【補正の内容】
【０００４】
特許文献１に記載のスロットマシンでは、長さの異なる複数の期間の払出率に基づいて払出率を調整する場合には、払出率を算出するために多くのデータが必要となる。
【手続補正５】
【補正対象書類名】明細書
【補正対象項目名】０００５
【補正方法】変更
【補正の内容】
【０００５】
本発明は、このような問題点に着目してなされたものであり、長さの異なる複数の期間における遊技用価値の付与率を調整する場合に必要なデータ量を削減することができるス
【手続補正６】
【補正対象書類名】明細書
【補正対象項目名】０００６
【補正方法】変更
【補正の内容】
【０００６】
上記課題を解決するために、
本発明の請求項１のスロットマシンは、
各々が識別可能な複数種類の識別情報を変動表示可能な可変表示部を備え、
前記可変表示部の変動表示を停止することで表示結果を導出し、該表示結果に応じて入賞が発生可能なスロットマシンにおいて、
遊技用価値の付与を伴う付与入賞が発生したときに、該付与入賞の種類に応じた数の遊技用価値を付与する遊技用価値付与手段と、
第１期間において遊技に使用された遊技用価値の総数である第１期間使用総数に対する前記第１期間において付与された遊技用価値の総数である第１期間付与総数の割合である第１期間付与率が第１範囲内となるように所定入賞の発生する確率を調整する第１調整手段と、
前記第１期間よりも長い第２期間において遊技に使用された遊技用価値の総数である第２期間使用総数に対する前記第２期間において付与された遊技用価値の総数である第２期間付与総数の割合である第２期間付与率が第２範囲内となるように所定入賞の発生する確率を調整する第２調整手段と、
を備え、
前記第１調整手段が所定入賞の発生する確率を調整するときに用いる履歴データは、該第１調整手段が用いた後も維持され、前記第２調整手段は、維持されている複数の履歴データを用いて所定入賞の発生する確率を調整する
ことを特徴としている。
この特徴によれば、第１期間における遊技用価値の付与率（第１期間付与率）について第１範囲内となるように所定入賞の発生する確率を調整するだけでなく、第１期間よりも長い第２期間における遊技用価値の付与率（第２期間付与率）についても第２範囲内となるように所定入賞の発生する確率を調整するので、短期間における遊技用価値の付与率も長期間における遊技用価値の付与率も適度な付与率となるように調整することができる。また、第１調整手段が所定入賞の発生する確率を調整するときに用いる履歴データが、該第１調整手段が用いた後も維持され、第２調整手段は、維持されている複数の履歴データを用いて所定入賞の発生する確率を調整するので、長さの異なる複数の期間における遊技用価値の付与率を調整する場合に必要なデータ量を削減することができる。
【手続補正７】
【補正対象書類名】明細書
【補正対象項目名】０００７
【補正方法】削除
【補正の内容】
【手続補正書】
【提出日】令和2年6月22日(2020.6.22)
【手続補正１】
【補正対象書類名】特許請求の範囲
【補正対象項目名】全文
【補正方法】変更
【補正の内容】
【特許請求の範囲】
【請求項１】
枠状の基枠部と前記基枠部の前面側に位置する前枠部とを含む遊技機枠を備え、
所定の制御条件の成立に基づいて有利な特別遊技状態に制御する遊技機において、
前記遊技機枠に取付けられていて人体によって移動させることが可能な可動部材と、
前記可動部材を移動させる駆動力を付与可能な駆動手段と、
前記駆動手段の駆動を制御可能な駆動回路部と、
前記駆動手段と前記駆動回路部との間の制御ラインと、
前記制御ラインを導通状態又は非導通状態に切替可能な導通切替手段と、
前記導通切替手段は、当該遊技機に電源が供給されていないときに、前記制御ラインを非導通状態に切替えていることを特徴とする遊技機。
【手続補正２】
【補正対象書類名】明細書
【補正対象項目名】０００６
【補正方法】変更
【補正の内容】
【０００６】
本発明の遊技機は、
枠状の基枠部と前記基枠部の前面側に位置する前枠部とを含む遊技機枠を備え、
所定の制御条件の成立に基づいて有利な特別遊技状態に制御する遊技機において、
前記遊技機枠に取付けられていて人体によって移動させることが可能な可動部材と、
前記可動部材を移動させる駆動力を付与可能な駆動手段と、
前記駆動手段の駆動を制御可能な駆動回路部と、
前記駆動手段と前記駆動回路部との間の制御ラインと、
前記制御ラインを導通状態又は非導通状態に切替可能な導通切替手段と、
前記導通切替手段は、当該遊技機に電源が供給されていないときに、前記制御ラインを非導通状態に切替えていることを特徴とする遊技機である。
【手続補正書】
【提出日】令和2年3月2日(2020.3.2)
【手続補正１】
【補正対象書類名】特許請求の範囲
【補正対象項目名】全文
【補正方法】変更
【補正の内容】
【特許請求の範囲】
【請求項１】
遊技に関する制御を行う遊技制御部が設けられた主制御基板と、前記主制御基板に接続され、前記遊技制御部とは別の制御部が設けられた別制御基板と、前記遊技制御部が行う当落抽選に関する設定値を設定するための特定操作部と、を備えた遊技機であって、
前記遊技制御部は、前記特定操作部に対する前記設定値の設定に係る操作を許容する許容状態発生手段を有し、
前記許容状態発生手段は、前記別制御基板から前記主制御基板に伝達される情報が特定の情報である場合に、前記設定値の設定に係る操作を許容する
ことを特徴とする遊技機。
【手続補正２】
【補正対象書類名】明細書
【補正対象項目名】０００５
【補正方法】変更
【補正の内容】
【０００５】
そこで、本発明は、上記の実情に鑑み、遊技機の信頼性を高めることを課題とするものである。
【手続補正３】
【補正対象書類名】明細書
【補正対象項目名】０００６
【補正方法】変更
【補正の内容】
【０００６】
本明細書に開示される発明の一例は以下の通りである。
遊技に関する制御を行う遊技制御部が設けられた主制御基板と、前記主制御基板に接続され、前記遊技制御部とは別の制御部が設けられた別制御基板と、前記遊技制御部が行う当落抽選に関する設定値を設定するための特定操作部と、を備えた遊技機であって、
前記遊技制御部は、前記特定操作部に対する前記設定値の設定に係る操作を許容する許容状態発生手段を有し、
前記許容状態発生手段は、前記別制御基板から前記主制御基板に伝達される情報が特定の情報である場合に、前記設定値の設定に係る操作を許容することを特徴とする。
【手続補正４】
【補正対象書類名】明細書
【補正対象項目名】０００７
【補正方法】変更
【補正の内容】
【０００７】
本発明によれば、遊技機の信頼性を高めることができる。
【手続補正書】
【提出日】令和2年3月2日(2020.3.2)
【手続補正１】
【補正対象書類名】特許請求の範囲
【補正対象項目名】全文
【補正方法】変更
【補正の内容】
【特許請求の範囲】
【請求項１】
遊技に関する制御を行う遊技制御部と、前記遊技制御部が行う当落抽選に関する設定値を決定するための特定操作部とを具備し、遊技者による所定の発射操作部の操作により遊技領域に向けて発射された遊技球が所定の入賞口に入賞することで、遊技利益を付与する遊技機であって、
前記特定操作部が操作されて前記設定値が決定されるまでは、前記発射操作部の操作による遊技球の発射を不能にする発射不能化手段を有する
ことを特徴とする遊技機。
【手続補正２】
【補正対象書類名】明細書
【補正対象項目名】０００５
【補正方法】変更
【補正の内容】
【０００５】
そこで、本発明は、上記の実情に鑑み、信頼性の高い遊技機を提供することを課題とするものである。
【手続補正３】
【補正対象書類名】明細書
【補正対象項目名】０００６
【補正方法】変更
【補正の内容】
【０００６】
本発明は、遊技に関する制御を行う遊技制御部と、前記遊技制御部が行う当落抽選に関する設定値を決定するための特定操作部とを具備し、遊技者による所定の発射操作部の操作により遊技領域に向けて発射された遊技球が所定の入賞口に入賞することで、遊技利益を付与する遊技機であって、前記特定操作部が操作されて前記設定値が決定されるまでは、前記発射操作部の操作による遊技球の発射を不能にする発射不能化手段を有することを特徴とする。
【手続補正４】
【補正対象書類名】明細書
【補正対象項目名】０００７
【補正方法】変更
【補正の内容】
【０００７】
本発明によれば、信頼性の高い遊技機を提供することができる。
【手続補正書】
【提出日】令和2年2月26日(2020.2.26)
【手続補正１】
【補正対象書類名】特許請求の範囲
【補正対象項目名】全文
【補正方法】変更
【補正の内容】
【特許請求の範囲】
【請求項１】
始動条件の成立に基づいて図柄の変動表示を行い、該図柄の変動表示結果として当り結果を導出する場合に、所定の遊技利益を付与する遊技機であって、
前記図柄の変動時間を決定する変動時間決定手段と、
前記変動時間決定手段が決定した変動時間に基づいて所定の演出を実行する演出実行手段と、
特定操作部に対する操作に基づいて、当り確率に関する設定値を決定する設定情報決定部と、を備え、
前記演出実行手段は、前記変動時間決定手段により特定の変動時間が決定された場合に、前記設定値に応じた特定演出を実行可能である
ことを特徴とする遊技機。
【手続補正２】
【補正対象書類名】明細書
【補正対象項目名】０００６
【補正方法】変更
【補正の内容】
【０００６】
本明細書に開示される発明の一態様は以下の構成を採用する。
始動条件の成立に基づいて図柄の変動表示を行い、該図柄の変動表示結果として当り結果を導出する場合に、所定の遊技利益を付与する遊技機であって、
前記図柄の変動時間を決定する変動時間決定手段と、
前記変動時間決定手段が決定した変動時間に基づいて所定の演出を実行する演出実行手段と、
特定操作部に対する操作に基づいて、当り確率に関する設定値を決定する設定情報決定部と、を備え、
前記演出実行手段は、前記変動時間決定手段により特定の変動時間が決定された場合に、前記設定値に応じた特定演出を実行可能である
ことを特徴とする遊技機。
【手続補正書】
【提出日】令和2年2月26日(2020.2.26)
【手続補正１】
【補正対象書類名】特許請求の範囲
【補正対象項目名】全文
【補正方法】変更
【補正の内容】
【特許請求の範囲】
【請求項１】
外枠と、前記外枠に対して開閉可能に支持されるとともに遊技盤が設けられる本体枠と、当り確率に関する設定値を設定するための特定操作部とを備えた遊技機であって、
前記特定操作部が設けられる特定基板と、
前記特定操作部に対する操作を困難にする操作困難化部材と、を備え、
前記特定基板と前記操作困難化部材の位置関係は、前記操作困難化部材が前記特定操作部に対する操作を阻害する第１の位置関係と、前記操作困難化部材が前記特定操作部の操作を阻害しない第２の位置関係とに変位可能である
ことを特徴とする遊技機。
【手続補正２】
【補正対象書類名】明細書
【補正対象項目名】０００５
【補正方法】変更
【補正の内容】
【０００５】
そこで、本発明は、上記の実情に鑑み、不正行為を困難にし、遊技機の信頼性を高めることを課題とするものである。
【手続補正３】
【補正対象書類名】明細書
【補正対象項目名】０００６
【補正方法】変更
【補正の内容】
【０００６】
本明細書に開示される発明の一例は以下の通りである。
外枠と、前記外枠に対して開閉可能に支持されるとともに遊技盤が設けられる本体枠と、当り確率に関する設定値を設定するための特定操作部とを備えた遊技機であって、
前記特定操作部が設けられる特定基板と、
前記特定操作部に対する操作を困難にする操作困難化部材と、を備え、
前記特定基板と前記操作困難化部材の位置関係は、前記操作困難化部材が前記特定操作部に対する操作を阻害する第１の位置関係と、前記操作困難化部材が前記特定操作部の操作を阻害しない第２の位置関係とに変位可能である（例えば段落１１１１等参照）
ことを特徴とする。
【手続補正４】
【補正対象書類名】明細書
【補正対象項目名】０００７
【補正方法】変更
【補正の内容】
【０００７】
本発明によれば、不正行為を困難にし、遊技機の信頼性を高めることができる。
【手続補正書】
【提出日】令和2年4月13日(2020.4.13)
【手続補正１】
【補正対象書類名】特許請求の範囲
【補正対象項目名】全文
【補正方法】変更
【補正の内容】
【特許請求の範囲】
【請求項１】
遊技者操作により発射された遊技球が流下可能な遊技領域を有する遊技盤を備え、所定条件の成立に基づいて当落抽選を行い、該当落抽選で当り結果が導出されることに基づいて当り遊技を実行する遊技機において、
前記遊技領域を流下した遊技球が入賞口に入賞した数、および、該入賞口に入賞しなかった数を用いて、遊技球の流下結果に関する特定情報を算出する特定情報算出手段と、
前記特定情報算出手段の算出結果を表示する特定情報表示部と、
前記当落抽選で当り結果が導出される確率に関する設定値を設定可能な設定モードを発生させる設定モード発生手段と、を備え、
前記設定モードは、電源投入時に特定の管理者操作が行われることで開始可能であり、
前記設定モード中には前記特定情報算出手段による算出を行わない
ことを特徴とする遊技機。
【手続補正２】
【補正対象書類名】明細書
【補正対象項目名】０００５
【補正方法】変更
【補正の内容】
【０００５】
そこで、本発明は、上記の実情に鑑み、遊技機の信頼性を高めることを課題とするものである。
【手続補正３】
【補正対象書類名】明細書
【補正対象項目名】０００６
【補正方法】変更
【補正の内容】
【０００６】
本明細書に開示される発明の一例は以下の通りである。
遊技者操作により発射された遊技球が流下可能な遊技領域を有する遊技盤を備え、所定条件の成立に基づいて当落抽選を行い、該当落抽選で当り結果が導出されることに基づいて当り遊技を実行する遊技機において、
前記遊技領域を流下した遊技球が入賞口に入賞した数、および、該入賞口に入賞しなかった数を用いて、遊技球の流下結果に関する特定情報を算出する特定情報算出手段と、（段落０４０２等参照）
前記特定情報算出手段の算出結果を表示する特定情報表示部（ベース表示１３１７）と、
前記当落抽選で当り結果が導出される確率に関する設定値を設定可能な設定モードを発生させる設定モード発生手段と（段落１０９３等参照）、を備え、
前記設定モードは、電源投入時に特定の管理者操作が行われることで開始可能であり、
前記設定モード中には前記特定情報算出手段による算出を行わない（段落１１５９，１１８８等参照）
ことを特徴とする。
上記構成によれば、電源投入時に特定の管理者操作が行われたときに設定モードを開始することで、不正に設定モードが開始されることを抑制することができる。また、設定モード中に特定情報（ベース情報）が更新されて特定情報の精度が低下してしまうことを抑制できる。
【手続補正４】
【補正対象書類名】明細書
【補正対象項目名】０００７
【補正方法】変更
【補正の内容】
【０００７】
本発明によれば、遊技機の信頼性を高めることができる。
【手続補正書】
【提出日】令和2年6月22日(2020.6.22)
【手続補正１】
【補正対象書類名】特許請求の範囲
【補正対象項目名】全文
【補正方法】変更
【補正の内容】
【特許請求の範囲】
【請求項１】
所定の制御条件の成立に基づいて有利な特別遊技状態に制御する遊技機において、
変位可能な可動部材と、
前記可動部材を変位させる駆動力を付与可能な駆動手段と、
前記駆動手段の駆動を制御可能な駆動回路部と、を備え、
前記駆動手段は、コイルに対して双方向に電流を流すバイポーラ型のステッピングモータであり、
前記駆動回路部から前記駆動手段に、駆動電流を供給可能な駆動電流ラインが設けられていて、
前記駆動電流ラインから電源側に延びる制御ラインに、サージ電圧に基づく超過電流が前記駆動回路部に供給されるのを防ぐことが可能な電源側ダイオードが設けられていることを特徴とする遊技機。
【請求項２】
請求項１に記載の遊技機において、
前記駆動電流ラインからグランド側に延びる制御ラインに、サージ電圧に基づく超過電流が前記駆動回路部に供給されるのを防ぐことが可能なグランド側ダイオードが設けられていることを特徴とする遊技機。
【手続補正２】
【補正対象書類名】明細書
【補正対象項目名】０００６
【補正方法】変更
【補正の内容】
【０００６】
本発明の遊技機は、
所定の制御条件の成立に基づいて有利な特別遊技状態に制御する遊技機において、
変位可能な可動部材と、
前記可動部材を変位させる駆動力を付与可能な駆動手段と、
前記駆動手段の駆動を制御可能な駆動回路部と、を備え、
前記駆動手段は、コイルに対して双方向に電流を流すバイポーラ型のステッピングモータであり、
前記駆動回路部から前記駆動手段に、駆動電流を供給可能な駆動電流ラインが設けられていて、
前記駆動電流ラインから電源側に延びる制御ラインに、サージ電圧に基づく超過電流が前記駆動回路部に供給されるのを防ぐことが可能な電源側ダイオードが設けられていることを特徴とする遊技機である。